(57)【特許請求の範囲】
【請求項１】
音場制御を施すことで擬似的に所望の音場に応じた音声信号を生成する音場制御用信号処理部を有するとともに、記録媒体への音声信号の記録を行う音声信号記録装置において、
外部より入力される音声信号と、外部より入力された後に前記音場制御用信号処理部において音場制御された音声信号とを選択する信号選択部と、
該信号選択部で選択された音声信号を前記記録媒体に記録するとともに、記録される音声信号に施された音場制御の擬似的な音場の種類と記録される音声信号に音場制御が施されているかの有無とを示す複数種類の符号である記録モード識別符号を生成して前記記録媒体に記録する記録部と、
を有し、
前記記録部によって前記記録媒体に前記音声信号を記録するとき、前記音声信号を前記記録媒体のデータ領域に記録し、前記記録媒体における前記データ領域と異なる領域である情報管理領域に前記データ領域に記録される前記音声信号を管理する情報とともに前記記録モード識別符号を記録することを特徴とする音声信号記録装置。
【請求項２】
前記音場制御用信号処理部、前記信号選択部、及び前記記録部で処理される音声信号がデジタル信号であることを特徴とする請求項１に記載の音声信号記録装置。
【請求項３】
入力される音声信号がアナログ信号であるとき、デジタル信号に変換して前記音場制御用信号処理部に送出するＡ／Ｄコンバータを有することを特徴とする請求項２に記載の音声信号記録装置。
【請求項４】
音場制御を施すことで擬似的に所望の音場に応じた音声信号を生成する音場制御用信号処理部を有するとともに、記録媒体への音声信号の記録及び再生を行う音声信号記録再生装置において、
外部より入力される音声信号と、外部より入力された後に前記音場制御用信号処理部において音場制御された音声信号とを選択する信号選択部と、
該信号選択部で選択された音声信号を前記記録媒体に記録するとともに、記録される音声信号に施された音場制御の擬似的な音場の種類と、記録される音声信号に音場制御が施されているかの有無とを示す複数種類の符号である記録モード識別符号を生成して前記記録媒体に記録する記録部と、
前記信号選択部で選択された音声信号を再生して外部に出力する再生部と、
前記記録媒体より読み出された記録モード識別符号より、前記記録媒体より読み出される音声信号が音場制御されたものか否かを認識し、音場制御された音声信号であると認識したとき、前記記録媒体より読み出された音声信号を前記信号選択部により直接前記再生部に送出して、前記音場制御用信号処理部で音場制御されることを禁止する制御部と、
を有し、
前記記録部によって前記記録媒体に前記音声信号を記録するとき、前記音声信号を前記記録媒体のデータ領域に記録し、前記記録媒体における前記データ領域と異なる領域である情報管理領域に前記データ領域に記録される前記音声信号を管理する情報とともに前記記録モード識別符号を記録することを特徴とする音声信号記録再生装置。
【請求項５】
前記制御部が、前記記録媒体より読み出される音声信号が音場制御されていないものと認識するとともに、音場制御が行われるように要求されたとき、
前記記録媒体より読み出された音声信号を前記音場制御用信号処理部に与えて音場制御を施した後、前記再生部に与えて外部に出力することを特徴とする請求項４に記載の音声信号記録再生装置。
【請求項６】
前記音場制御用信号処理部、前記信号選択部、及び前記記録部で処理される音声信号がデジタル信号であることを特徴とする請求項４又は請求項５に記載の音声信号記録再生装置。
【請求項７】
入力される音声信号がアナログ信号であるとき、デジタル信号に変換して前記音場制御用信号処理部に送出するＡ／Ｄコンバータを有するとともに、
前記再生部がデジタル信号の音声信号をアナログ信号に変換して出力することを特徴とする請求項６に記載の音声信号記録再生装置。
【発明の詳細な説明】
【０００１】
【発明の属する技術分野】
本発明は、音声信号の記録・再生を行う音声信号記録装置及び音声信号記録再生装置に関し、特に、音場制御機能を有する音声信号記録装置及び音声信号記録再生装置に関する。
【０００２】
【従来の技術】
近年、音場制御を行うためにデジタル変換された音声信号の信号処理を行うＤＳＰ（Digital Signal Processor）を備えた音声信号記録再生装置が提供されている。このような音声信号記録再生装置では、音声信号を記録した光ディスクや光磁気ディスクなどの記録媒体を再生する際、読み取った音声信号をＤＳＰで信号処理することにより、リスナーの所望する音場の音声に擬似出力することができる。又、特開平２−２２３２２９号公報などに開示されているように、音声信号とともに記録媒体に格納されている再生に好ましい環境の音場に関する情報に基づいて、読み取った音声信号をＤＳＰで信号処理することにより、再生に好ましい環境の音場の音声に擬似出力することができる。
【０００３】
【発明が解決しようとする課題】
しかしながら、従来の音声信号記録再生装置では、音声信号を記録媒体に記録する際、ＤＳＰで信号処理が施された音声信号が記録媒体に記録されるわけでない。よって、再生する際の音場情報とともにＤＳＰにおける信号処理の施されていないステレオ又はモノラルの音声信号が記録媒体に記録される。そのため、このような記録媒体に記録された音声信号を、同様に記録された音場情報に基づいて再生する際、音場制御するためにＤＳＰにおいて信号処理を施す必要がある。このようにＤＳＰによる信号処理を行う場合、その処理量が多いため、消費電力が大きくなる。
【０００４】
又、たとえＤＳＰによる信号処理が施された音声信号が記録媒体に記録されたとしても、従来の音声信号記録再生装置においては、この記録媒体から読み出された音声信号が、ＤＳＰによる信号処理が施されたものであるか否かを識別することができない。そのため、記録媒体より読み出された音声信号に対して、再び、ＤＳＰで信号処理が施されて音場制御が施されてしまうため、再生される音楽の品位が劣化してしまう。
【０００５】
このような問題を鑑みて、本発明は、音場制御された音声信号とともに、記録された音声信号が音場制御が施されたものであるか否かを識別するための識別符号を記録媒体に記録する音声信号記録装置及び音声信号記録再生装置を提供することを目的とする。又、本発明は、識別符号により、記録媒体より読み出された音声信号が音場制御が施された音声信号であることを認識すると、音場制御することなく再生する音声信号記録再生装置を提供することを他の目的とする。
【０００６】
【課題を解決するための手段】
上記目的を達成するために、本発明の音声信号記録装置は、音場制御を施すことで擬似的に所望の音場に応じた音声信号を生成する音場制御用信号処理部を有するとともに、記録媒体への音声信号の記録を行う音声信号記録装置において、外部より入力される音声信号と、外部より入力された後に前記音場制御用信号処理部において音場制御された音声信号とを選択する信号選択部と、該信号選択部で選択された音声信号を前記記録媒体に記録するとともに、記録される音声信号が音場制御が施されているか否かを示す記録モード識別符号を生成して前記記録媒体に記録する記録部と、を有し、前記記録部によって前記記録培媒体に前記音声信号を記録するとき、前記音声信号を前記記録媒体のデータ領域に記録し、前記記録売買における前記データ領域と異なる領域である情報管理領域に前記データ領域に記録される前記音声信号を管理する情報とともに前記記録モード識別符号を記録することを特徴とする。
【０００７】
このような音声信号記録装置は、擬似的にユーザーの所望する音場における音質に変換された音声信号が、音場制御用信号処理部で生成される。このように音場制御された音声信号が記録媒体に記録される際、音場制御が施されているか否かを示す記録モード識別符号がともに記録される。よって、この記録媒体を音声信号再生装置で再生する際、記録モード識別符号によって音場制御が施されているか否かを判別させることができ、音声信号再生装置で再び音場制御を行うことを防ぐことができる。
【０００８】
又、本発明の音声信号記録再生装置は、音場制御を施すことで擬似的に所望の音場に応じた音声信号を生成する音場制御用信号処理部を有するとともに、記録媒体への音声信号の記録及び再生を行う音声信号記録再生装置において、外部より入力される音声信号と、外部より入力された後に前記音場制御用信号処理部において音場制御された音声信号とを選択する信号選択部と、該信号選択部で選択された音声信号を前記記録媒体に記録するとともに、記録される音声信号が音場制御が施されているか否かを示す記録モード識別符号を生成して前記記録媒体に記録する記録部と、前記信号選択部で選択された音声信号を再生して外部に出力する再生部と、前記記録媒体より読み出された記録モード識別符号より、前記記録媒体より読み出される音声信号が音場制御されたものか否かを認識し、音場制御された音声信号であると認識したとき、前記記録媒体より読み出された音声信号を前記信号選択部により直接前記再生部に送出して、前記音場制御用信号処理部で音場制御されることを禁止する制御部と、を有し、前記記録部によって前記記録培媒体に前記音声信号を記録するとき、前記音声信号を前記記録媒体のデータ領域に記録し、前記記録売買における前記データ領域と異なる領域である情報管理領域に前記データ領域に記録される前記音声信号を管理する情報をとともに前記記録モード識別符号を記録することを特徴とする。
【０００９】
このような音声信号記録再生装置は、擬似的にユーザーの所望する音場における音質に変換された音声信号が、音場制御用信号処理部で生成される。このように音場制御された音声信号が記録媒体に記録される際、音場制御が施されているか否かを示す記録モード識別符号がともに記録される。そして、この記録媒体を再び再生する際、記録モード識別符号によって音場制御が施されていることが確認されたとき、音場制御用信号処理部で再び音場制御を行うことを制御部で禁止させる。
【００１０】
又、前記制御部が、前記記録媒体より読み出される音声信号が音場制御されていないものと認識するとともに、音場制御が行われるように要求されたとき、前記記録媒体より読み出された音声信号を前記音場制御用信号処理部に与えて音場制御を施した後、前記再生部に与えて外部に出力するようにしても構わない。
【００１１】
このようにすることで、この記録媒体を再び再生する際、記録モード識別符号によって音場制御が施されていないことが確認されたときに、ユーザーによって音場制御を行うように指示されていないとき、音場制御用信号処理部で音場制御を行うことを制御部で禁止させることができ、又、ユーザーによって音場制御を行うように指示されるとき、音場制御用信号処理部で音場制御を行うことを制御部で許可させることができる。
【００１２】
更に、上述の音声信号記録装置及び音声信号記録再生装置において生成される記録モード識別符号は、音場制御された音声信号が記録媒体に記録される際、その音場制御される音場を表す情報を含むようにしても構わない。
【００１３】
【発明の実施の形態】
本発明の実施の形態について、以下に説明する。
【００１４】
＜音声信号記録再生装置の構成＞
まず、本実施形態の音声信号記録再生装置の構成について、図面を参照して説明する。図１は、本実施形態の音声信号記録再生装置の内部構成を示すブロック図である。尚、図１において、各ブロック間でやり取りを行う音声信号は、Ｌチャンネル用及びＲチャンネル用の音声信号となるＬ信号及びＲ信号である。
【００１５】
図１に示す音声信号記録再生装置は、外部よりデジタル信号に変換された音声信号が入力される入力端子Ｄinと、外部よりアナログ信号の音声信号が入力される入力端子Ａinと、アナログ信号の音声信号を出力する出力端子outと、入力端子Ａinより入力された音声信号を増幅するアンプ１ａと、入力端子Ｄinより入力された音声信号を増幅するアンプ１ｂと、アンプ１ａで増幅された音声信号をデジタル信号に変換するＡ／Ｄコンバータ２と、アンプ１ｂで増幅された音声信号とＡ／Ｄコンバータ２でデジタル信号に変換された音声信号との何れか一方を選択する選択スイッチ３と、選択スイッチ３で選択された音声信号に音場制御を施すＤＳＰ４と、選択スイッチ３で選択された音声信号とＤＳＰ４で音場制御が施された音声信号との何れか一方を選択する選択スイッチ５と、選択スイッチ５で選択された音声信号に対してＡＴＲＡＣ（Adaptive Transform Acoustic Coding）方式でデータ圧縮を施すデータ圧縮部６と、データ圧縮部６で圧縮された音声信号に基づいてヘッド部８による光磁気ディスク１７に書き込み制御を行う書き込み制御部７と、光ピックアップや磁気ヘッドで構成されるヘッド部８とを有する。
【００１６】
このように各ブロックを構成することで、音声入力装置やレコードプレーヤなどのアナログオーディオ機器から入力端子Ａinを介して入力されるアナログ信号の音声信号が、アンプ１ａで増幅された後、Ａ／Ｄコンバータ２でデジタル信号に変換されて、選択スイッチ３に与えられる。又、光ディスク再生装置などのデジタルオーディオ機器から入力端子Ｄinを介して入力されるデジタル信号が、アンプ１ｂで増幅されて、選択スイッチ３に直接与えられる。又、選択回路３には、転送ビットクロック及びＬ／Ｒチャンネル識別信号も入力される。
【００１７】
そして、選択回路３では、アンプ１ｂより与えられる音声信号とＡ／Ｄコンバータ２より与えられる音声信号の何れか一方を選択して、転送ビットクロック及びＬ／Ｒチャンネル識別信号とともに、ＤＳＰ４及び選択スイッチ５に送出する。尚、ＤＳＰ４より後段の各ブロックには、デジタル信号の音声信号とともに転送ビットクロック及びＬ／Ｒチャンネル識別信号が与えられる。ＤＳＰ４では、選択スイッチ３で選択されたデジタル信号の音声信号に対して信号処理を行って音場制御を施す。
【００１８】
このＤＳＰ４の構成の一例を、図２に示す。図２のＤＳＰ４は、Ｌ信号にフィルタリングを施す７１６８段のＦＩＲ（Finite Impulse Response）フィルタ４１ａ，４１ｂと、Ｒ信号にフィルタリングを施す７１６８段のＦＩＲフィルタ４１ｃ，４１ｄと、ＦＩＲフィルタ４１ａ，４１ｄより送出される信号を加算して新たにＬ信号を生成する加算回路４２ａと、ＦＩＲフィルタ４１ｂ，４１ｃより送出される信号を加算して新たにＲ信号を生成する加算回路４２ｂとを有する。
【００１９】
尚、ＦＩＲフィルタ４１ａ〜４１ｄそれぞれの乗算係数は異なったもので、部屋の反射音成分などの特性を考慮し、よりサラウンド効果を得るために実験で求めたものである。更に、ＦＩＲフィルタ４１ａ〜４１ｄそれぞれの乗算係数は、不図示のＲＯＭ（Read Only Memory）内に、複数の音場毎に応じた値が記憶され、ユーザーによって選択された音場に応じた値に設定される。
【００２０】
即ち、Ｌ信号及びＲ信号が選択回路３より与えられると、まず、Ｌ信号がＦＩＲフィルタ４１ａ，４１ｂにおいてフィルタリングが施されるとともに、Ｒ信号がＦＩＲフィルタ４１ｃ，４１ｄにおいてフィルタリングが施される。そして、ＦＩＲフィルタ４１ａ，４１ｄのそれぞれでフィルタリングが施されたＬ信号及びＲ信号が、加算回路４２ａで加算されて新たにＬ信号が生成されるとともに、ＦＩＲフィルタ４１ｂ，４１ｃのそれぞれでフィルタリングが施されたＬ信号及びＲ信号が、加算回路４２ｂで加算されて新たにＲ信号が生成される。
【００２１】
このようにＤＳＰ４で音場制御が施されたデジタル信号の音声信号が選択スイッチ５に送出される。選択スイッチ５では、選択スイッチ３より直接与えられる音場制御の施されていないデジタル信号の音声信号と、ＤＳＰ４で音場制御が施されたデジタル信号の音声信号とが与えられ、何れか一方を選択してデータ圧縮部６に送出する。
【００２２】
データ圧縮部６では、ＭＤＣＴ（Modified Discrete Cosine Transform）を用いたＡＴＲＡＣ方式のデータ圧縮処理が行われる。即ち、データ圧縮部６では、人間の聴覚特性に基づいて、人間が判別できないようなデータだけを選択的に除去することによって、データ圧縮される。そして、データ圧縮部６でデータ圧縮されたデジタル信号の音声信号が書き込み制御部７に与えられると、書き込み制御部７によってヘッド部８が駆動されて、光磁気ディスク１７への記録が行われる。
【００２３】
このとき、光磁気ディスク１７の表面を光ピックアップによってレーザー光が当てられる面とすると、ヘッド部８は、磁気ヘッドを光磁気ディスク１７の裏面に当接するように設置し、光ピックアップが書き込み制御部７に与えられる音声信号に応じてレーザー光を光磁気ディスク１７の表面に当てるように動作させる。このようにすることで、光磁気ディスク１７の音声信号のデータが記録される部分が、光ピックアップより発せられるレーザー光と磁気ヘッドから発せられる磁界によって磁化されることで、音声信号が記録される。
【００２４】
又、図１の音声信号記録再生装置は、ヘッド部８を制御して圧縮された音声信号を光磁気ディスク１７より読み出す読み出し制御部９と、読み出し制御部９で読み出された音声信号をＡＴＲＡＣ方式に準じてデータ伸長を施すデータ伸長部１０と、データ伸長部１０で伸長された音声信号とＤＳＰ４で音場制御が施された音声信号との何れか一方を選択する選択スイッチ１１と、選択スイッチ１１で選択された音声信号をアナログ信号に変換するＤ／Ａコンバータ１２と、Ｄ／Ａコンバータ１２でアナログ信号に変換された音声信号を増幅するアンプ１３とを有する。
【００２５】
このように各ブロックを構成することで、読み出し制御部９がヘッド部８の光ピックアップを動作させて、光磁気ディスク１７に記録された音声信号を読み出す。即ち、光ピックアップより発せられたレーザー光が、読み出しを行うためのトラック上を反射する。そして、光磁気ディスク１７における反射光の偏光面を読み取ることによって、記録された音声信号を読み出す。
【００２６】
このように読み出し制御部９で読み出されたデジタル信号である音声信号が、データ伸長部１０で、元のデジタル信号の音声信号となるように、ＡＴＲＡＣ方式によるデータ伸長が施される。このようにデータ伸長が施されて生成されたデジタル信号の音声信号が、ＤＳＰ４又は選択スイッチ１１に与えられる。そして、ＤＳＰ４では、上述したような音場制御を、デジタル信号の音声信号に施すとともに、この音場制御が施された音声信号を選択スイッチ１１に送出する。
【００２７】
選択スイッチ１１では、データ伸長部１０より直接与えられるデジタル信号の音声信号と、ＤＳＰ４で音場制御が施されたデジタル信号の音声信号とが与えられ、何れか一方を選択してＤ／Ａコンバータ１２に送出する。そして、Ｄ／Ａコンバータ１２において、選択スイッチ１１より与えられるデジタル信号の音声信号をアナログ信号に変換すると、このアナログ信号の音声信号がアンプ１３で増幅された後、出力端子outを介してスピーカやヘッドフォンなどの音声出力装置に出力される。
【００２８】
更に、図１の音声信号記録再生装置は、各ブロックの制御を行うＣＰＵ（Central Processing Unit）１４と、リスナーが入力操作を行うためのキー入力部１５と、光磁気ディスク１７のＵＴＯＣ（User Track Of Content）領域に格納されたＵＴＯＣ情報を表示するためのＵＴＯＣ領域表示部１６とを有する。
【００２９】
このように各ブロックを構成することで、光磁気ディスク１７のＵＴＯＣ領域に格納されたＵＴＯＣ情報がヘッド部８及び読み出し制御部９によって読み出されると、ＣＰＵ１４に与えられ、ＵＴＯＣ情報のデータ解析が行われる。そして、ＣＰＵ１４では、ＵＴＯＣ情報をデータ解析することによって、現在再生中の音楽のタイトルや記録されたときの記録モードなどを認識し、ＵＴＯＣ領域表示部１６に表示させる。
【００３０】
又、キー入力部１５が操作されることによって、記録動作を行うように入力されると、ＣＰＵ１４は、データ圧縮部６及び書き込み制御部７が動作するように制御する。そして、ＣＰＵ１４は、外部より入力される音声信号がデジタル信号であるときアンプ１ｂからの音声信号を選択し、又、外部より入力される音声信号がアナログ信号であるときＡ／Ｄコンバータ２からの音声信号を選択するように、選択スイッチ３の選択動作を制御する。
【００３１】
更に、キー入力部１５によってステレオ録音されるように入力されたとき、ＣＰＵ１４は、選択スイッチ３から直接与えられる音声信号が選択されるように、選択スイッチ５の選択動作を制御する。逆に、キー入力部１５によって音場制御された音声信号が記録されるように入力されたとき、ＣＰＵ１４は、ユーザーの所望する音場に応じた音場制御が行われるようにＤＳＰ４を制御するとともに、ＤＳＰ４から与えられる音声信号が選択されるように、選択スイッチ５の選択動作を制御する。
【００３２】
又、キー入力部１５が操作されることによって、再生動作を行うように入力されると、ＣＰＵ１４は、読み出し制御部９及びデータ伸長部１０が動作するように制御する。そして、ＣＰＵ１４は、ＵＴＯＣ情報より再生される音声信号が音場制御されていると認識したときデータ伸長部１０より直接与えられる音声信号を選択し、又、ＵＴＯＣ情報より再生される音声信号が音場制御されていないと認識したときキー入力部１５への入力に従ってＤＳＰ４又はデータ伸長部１０より与えられる音声信号を選択するように、選択スイッチ１１の選択動作を制御する。
【００３３】
更に、ＵＴＯＣ情報より再生される音声信号が音場制御されていないと認識したときに、キー入力部１５によって音場制御された音声信号が再生されるように入力されたとき、ＣＰＵ１４は、ユーザーの所望する音場に応じた音場制御が行われるようにＤＳＰ４を制御する。
【００３４】
＜記録動作＞
上述のような構成の音声記録再生装置の記録動作について、図３のフローチャートを参照して説明する。
【００３５】
キー入力部１５によって、記録動作が行われるように入力されると、入力される音声信号がアナログ信号かデジタル信号のいずれかに応じて、上述したように、ＣＰＵ１４が選択スイッチ３を制御する。尚、本実施形態では、音場を以下の３種類のものとするとともに、ステレオ録音が指示されたときの記録モードをステレオモードと呼ぶ。
１．  小さな部屋の音場効果            ＳＨ０モード
２．  スタジオの音場効果              ＳＨ１モード
３．  スタジアムの音場効果            ＳＨ２モード
【００３６】
そして、選択スイッチ３で選択されたデジタル信号の音声信号は、ＤＳＰ４及び選択スイッチ５に送出される。このとき、まず、ＣＰＵ１４では、ユーザーによってキー入力部１５が操作されて、音場制御を行うように指示されたか否かが判断される（ＳＴＥＰ１）。そして、音場制御を行うように指示されるとき（Ｙｅｓ）、選択スイッチ５がＤＳＰ４より与えられる音声信号を選択するように、ＣＰＵ１４が制御動作を行った後（ＳＴＥＰ２）、ＳＨ０モードによる音場制御が行われるように指示されたか否かが判断される（ＳＴＥＰ３）。又、音場制御を行わないように指示されるとき（Ｎｏ）、ステレオモードによる記録を行うために、選択スイッチ５が選択スイッチ３より直接与えられる音声信号を選択するように、ＣＰＵ１４が制御動作を行う（ＳＴＥＰ５）。
【００３７】
ＳＴＥＰ３で、ＳＨ０モード以外のモードによる音場制御が行われるように指示されるとき（Ｎｏ）、ＳＨ１モードによる音場制御が行われるように指示されたか否かが判断される（ＳＴＥＰ４）。又、ＳＴＥＰ３で、ＳＨ０モードによる音場制御が行われるように指示されるとき（Ｙｅｓ）、ＳＨ０モードによる音場制御を行うように、ＣＰＵ１４によってＤＳＰ４が制御される（ＳＴＥＰ６）。即ち、ＤＳＰ４内のＦＩＲフィルタ４１ａ〜４１ｄの各乗算係数が、不図示のＲＯＭに格納されたＳＨ０モード用の乗算係数に設定されるように、ＣＰＵ１４が制御する。
【００３８】
ＳＴＥＰ３よりＳＴＥＰ４に移行したとき、ＳＨ１モードによる音場制御が行われるように指示されるとき（Ｙｅｓ）、ＳＨ１モードによる音場制御を行うように、ＣＰＵ１４によってＤＳＰ４が制御される（ＳＴＥＰ７）。即ち、ＤＳＰ４内のＦＩＲフィルタ４１ａ〜４１ｄの各乗算係数が、不図示のＲＯＭに格納されたＳＨ１モード用の乗算係数に設定されるように、ＣＰＵ１４が制御する。又、ＳＴＥＰ４において、ＳＨ２モードによる音場制御が行われるように指示されるとき（Ｎｏ）、ＳＨ２モードによる音場制御を行うように、ＣＰＵ１４によってＤＳＰ４が制御される（ＳＴＥＰ８）。即ち、ＤＳＰ４内のＦＩＲフィルタ４１ａ〜４１ｄの各乗算係数が、不図示のＲＯＭに格納されたＳＨ２モード用の乗算係数に設定されるように、ＣＰＵ１４が制御する。
【００３９】
そして、ＳＴＥＰ５〜ＳＴＥＰ８よりＳＴＥＰ９に移行すると、ＣＰＵ１４は、データ圧縮部６で選択スイッチ５で選択された音声信号に対してデータ圧縮が行われるように制御動作を行う。即ち、ステレオモードが選択されているときは、選択スイッチ３からの音声信号が、又、ＳＨ０〜ＳＨ２モードが選択されているときは、ＤＳＰ４で選択されているＳＨ０〜ＳＨ２モードに応じた音場制御が施された音声信号が、それぞれ、データ圧縮部６でデータ圧縮される。
【００４０】
このようにデータ圧縮部６が動作制御されると、光磁気ディスク１７のＵＴＯＣ領域へ、記録される音声信号の記録モードを示す記録モード識別符号を含むＵＴＯＣ情報が記録されるとともに、光磁気ディスク１７の音声信号が入力されるレコーダブル領域へ、データ圧縮部６で圧縮されたデータ信号が記録される（ＳＴＥＰ１０）。このとき、ＵＴＯＣ情報は、記録モード識別符号以外に、記録される曲のタイトル名や再生時間や記録されるトラック位置などの情報を含むように、ＣＰＵ１４で生成されて書き込み制御部７に与えられる。記録される曲のタイトル名については、ユーザーがキー入力部１５を操作することによって、入力される。
【００４１】
よって、例えば、記録モード識別符号と曲のタイトル名とで構成されるＵＴＯＣ情報は、以下のように光磁気ディスク１７のＵＴＯＣ領域に記録される。尚、[]で示される部分が、記録モード識別符号である。
１．ステレオモードで記録された場合    [STE]曲タイトル名
２．ＳＨ０モードで記録された場合      [SH0]曲タイトル名
３．ＳＨ１モードで記録された場合      [SH1]曲タイトル名
４．ＳＨ２モードで記録された場合      [SH2]曲タイトル名
【００４２】
このようにＵＴＯＣ情報が記録される場合、記録モード識別符号は、最低でも最初の[、*、*、*、]の５文字で表されるようにすることで、記録モード識別符号とともに記録される曲タイトル名をユーザーが自由に作成しても、その曲タイトル名と同じ符号で表される確立は低くなる。よって、ＣＰＵ１４は、曲タイトル名とは別の記録モード識別符号[***]を認識することができる。
【００４３】
尚、これは、記録モード識別符号をＣＰＵ１４で識別するための一例であり、記録モード識別符号を含むときは、そのことを示す特別な符号を必ず付すようにして記録モード識別符号を識別できるようにしても構わない。又、ＵＴＯＣ領域内の別領域に記録モード識別符号が含まれることを示すための情報が格納されるようにしても構わない。
【００４４】
書き込み制御部７には、１曲毎に、このようなＵＴＯＣ情報がＣＰＵ１４より与えられ、ヘッド部８を制御することによって、光磁気ディスク１７のＵＴＯＣ領域への記録を行う。又、データ圧縮部６で圧縮された音声信号が書き込み制御部７に与えられると、ヘッド部８を制御することによって、光磁気ディスク１７におけるレコーダブル領域のＣＰＵ１４が指定したトラック位置に、圧縮された音声信号が１曲毎に記録される。
【００４５】
＜再生動作＞
上述のような構成の音声記録再生装置の再生動作について、図３のフローチャートを参照して説明する。
【００４６】
ヘッド部８が読み出し制御部９によって光磁気ディスク１７の読み出しを行うように制御されると、ＵＴＯＣ領域内のＵＴＯＣ情報がＣＰＵ１４に与えられるとともに、レコーダブル領域内の圧縮された音声信号がデータ伸長部１０に与えられる（ＳＴＥＰ２１）。このとき、まず、ＵＴＯＣ領域のＵＴＯＣ情報を読み出すようにＣＰＵ１４が読み出し制御部９を制御する。そして、ＣＰＵ１４にＵＴＯＣ情報が与えられると、記録モード識別符号より、読み出される音声信号の記録モードが認識されるとともに、ユーザーによって設定された曲タイトル名を認識する。
【００４７】
この認識した記録モード及び曲タイトル名が、ＵＴＯＣ領域表示部１６に表示されるように、ＣＰＵ１４がＵＴＯＣ領域表示部１６を制御する。尚、キー入力部１５が操作されることによって、記録モードが表示されず曲タイトル名のみを表示されるようにしても良い。又、ＵＴＯＣ情報内に再生される曲の再生時間が含まれ、この再生時間もＵＴＯＣ領域表示部１６に表示されるようにしても良い。
【００４８】
又、ＵＴＯＣ情報内に含まれる再生される曲が記録されるトラックをＣＰＵ１４が認識し、そのトラックより圧縮された音声データを読み出すように、読み出し制御部９を制御する。このように読み出し制御部９が制御されて読み出された圧縮された音声信号は、データ伸長部１０に与えられる。そして、この圧縮された音声信号に対してデータ伸長部１０がデータ伸長を施すように、ＣＰＵ１４にがデータ伸長部１０を制御する（ＳＴＥＰ２２）。
【００４９】
このようにデータ伸長部１０がＣＰＵ１４によって制御され始めると、ＣＰＵ１４によって認識された再生される曲の記録モードがステレオモードか否かが判断される（ＳＴＥＰ２３）。このとき、再生される曲がステレオモード以外のＳＨ０〜ＳＨ２モードで記録されているとＣＰＵ１４で認識されると（Ｎｏ）、キー入力部１５で音場制御を行うように操作されることが禁止された後（ＳＴＥＰ２４）、選択スイッチ１１がデータ伸長部１０より与えられる音声信号を選択するように、ＣＰＵ１４が制御動作を行う（ＳＴＥＰ２９）。
【００５０】
又、再生される曲がステレオモードで記録されているとＣＰＵ１４で認識されると（Ｙｅｓ）、キー入力部１５が操作されて、音場制御を行うように指示されたか否かがＣＰＵ１４で判断される（ＳＴＥＰ２５）。そして、音場制御を行うように指示されるとき（Ｙｅｓ）、選択スイッチ１１がＤＳＰ４より与えられる音声信号を選択するように、ＣＰＵ１４が制御動作を行った後（ＳＴＥＰ２６）、ＳＨ０モードによる音場制御が行われるように指示されたか否かが判断される（ＳＴＥＰ２７）。又、音場制御を行わないように指示されるとき（Ｎｏ）、選択スイッチ１１がデータ伸長部１０より与えられる音声信号を選択するように、ＣＰＵ１４が制御動作を行う（ＳＴＥＰ２９）。
【００５１】
ＳＴＥＰ２７で、ＳＨ０モード以外のモードによる音場制御が行われるように指示されるとき（Ｎｏ）、ＳＨ１モードによる音場制御が行われるように指示されたか否かが判断される（ＳＴＥＰ２８）。又、ＳＴＥＰ２７で、ＳＨ０モードによる音場制御が行われるように指示されるとき（Ｙｅｓ）、ＳＨ０モードによる音場制御を行うように、ＣＰＵ１４によってＤＳＰ４が制御される（ＳＴＥＰ３０）。即ち、ＤＳＰ４内のＦＩＲフィルタ４１ａ〜４１ｄの各乗算係数が、不図示のＲＯＭに格納されたＳＨ０モード用の乗算係数に設定されるように、ＣＰＵ１４が制御する。
【００５２】
ＳＴＥＰ２７よりＳＴＥＰ２８に移行したとき、ＳＨ１モードによる音場制御が行われるように指示されるとき（Ｙｅｓ）、ＳＨ１モードによる音場制御を行うように、ＣＰＵ１４によってＤＳＰ４が制御される（ＳＴＥＰ３１）。即ち、ＤＳＰ４内のＦＩＲフィルタ４１ａ〜４１ｄの各乗算係数が、不図示のＲＯＭに格納されたＳＨ１モード用の乗算係数に設定されるように、ＣＰＵ１４が制御する。又、ＳＴＥＰ２８において、ＳＨ２モードによる音場制御が行われるように指示されるとき（Ｎｏ）、ＳＨ２モードによる音場制御を行うように、ＣＰＵ１４によってＤＳＰ４が制御される（ＳＴＥＰ３２）。即ち、ＤＳＰ４内のＦＩＲフィルタ４１ａ〜４１ｄの各乗算係数が、不図示のＲＯＭに格納されたＳＨ２モード用の乗算係数に設定されるように、ＣＰＵ１４が制御する。
【００５３】
そして、ＳＴＥＰ２９〜ＳＴＥＰ３２よりＳＴＥＰ３３に移行すると、選択スイッチ１１で選択された音声信号がＤ／Ａコンバータ１２でアナログ信号に変換された後、アンプ１３で増幅されて、出力端子outより出力される（ＳＴＥＰ３３）。
【００５４】
このようにすることで、音場制御が施された音声信号は、ＤＳＰ４において再び音場制御されることが禁止されるため、音の品位の劣化を防ぐことができる。又、音場制御が施された音声信号は、ＤＳＰ４において再び音場制御されることなく出力されるため、ＤＳＰ４での消費電力を抑えることができる。更に、音場制御の施されていない音声信号を認識することができるため、この音声信号に関しては、ユーザーの希望に応じて、音場制御することなく出力することもでき、又、ＤＳＰ４で音場制御して出力することもできる。
【００５５】
尚、本実施形態において、光磁気ディスクの記録・再生を行うための音声信号記録再生装置を一例として説明したが、他の記録媒体に対して音場制御が施される音声信号の記録・再生が行われる音声信号記録再生装置についても適用可能である。
【００５６】
【発明の効果】
本発明によると、音声信号をそのままステレオ録音させるか、又は音場制御して録音させるか選択することが可能となる。又、このとき、記録モード識別符号もともに記録されるため、何れの方法で音声信号が記録されているかを、記録媒体を再生する際に確認することができる。よって、音場制御された音声信号を再生する際、再び、音場制御されることが禁止され、音の品位が劣化することを防ぐことができる。又、音場制御されていない音声信号については、ユーザーの希望に応じて、音場制御を行うことが可能となる。
【図面の簡単な説明】
【図１】本発明の音声記録再生装置の内部構成を示すブロック図。
【図２】図１の音声記録再生装置内に設けられたＤＳＰの内部構成を示すブロック図。
【図３】図１の音声記録再生装置の記録動作を示すフローチャート。
【図４】図１の音声記録再生装置の再生動作を示すフローチャート。
【符号の説明】
１ａ，１ｂ    アンプ
２    Ａ／Ｄコンバータ
３    選択スイッチ
４    ＤＳＰ
５    選択スイッチ
６    データ圧縮部
７    書き込み制御部
８    ヘッド部
９    読み出し制御部
１０    データ伸長部
１１    選択スイッチ
１２    Ｄ／Ａコンバータ
１３    アンプ
１４    ＣＰＵ
１５    キー入力部
１６    ＵＴＯＣ領域表示部
１７    光磁気ディスク
【図１】
0004368054.tif 000002
【図２】
0004368054.tif 000003
【図３】
0004368054.tif 000004
【図４】
0004368054.tif 000005